(57)【要約】【課題】  本考案は、童謡「背くらべ」に因んで、柱を想定させる疑似柱に身長の成長記録を刻むことを体験し、保存できる身長計を可能にする。【解決手段】  本考案は、筆記具や短い釘等で傷つけることが可能な適宜素材で、大人の身長の丈の板材に形成した本体に、目盛りを設ける。本体は収納可能な大きさに分割し、蝶番等で連結又は連結可能にする。さらに収納の為の箱を設け、備品や思い出を入れる小物入れと「背くらべ」のメロディ装置、写真フレーム等を設けると尚可。従って、日本の伝統に親しめて、家族の絆を深めることができる。【選択図】  図１
0003114030.tif 000002
【実用新案登録請求の範囲】
【請求項１】
筆記具や短い釘等で傷を付けることが可能な、木材又はプラスチック、合成樹脂等、適宜素材の表面を持つ、大人の身長の丈の細長い板材を本体１とし、１をコンパクトに収納できる適宜な長さに分割し、蝶番３等で連結又は連結可能にし、さらに本体１には、合成樹脂や金属等伸縮の少ない適宜素材で作った目盛り５を下端から垂直に装着するか、又は直接目盛りを記述した、童謡に因んだ身長計。
【請求項２】
請求項１の童謡に因んだ身長計に、備品として、傷を付ける為の筆記具や短い釘等６と頭頂の位置から水平位置の本体に印を付ける為の直角を持つ多角形型の測定補助具７を装備した、請求項１の童謡に因んだ身長計。
【請求項３】
請求項１の童謡に因んだ身長計及び、請求項２の筆記具や短い釘等６、測定補助具７、並びにオルゴール等適宜メロディ装置１１、小物入れ１５、写真フレーム１６等を装備した収納用箱等８を設けた、請求項１、２の童謡に因んだ身長計。
【考案の詳細な説明】
【技術分野】
【０００１】  本考案は、童謡「背くらべ」に因んで、柱を想定させる疑似柱に身長の成長記録を刻んでいくことを体験でき、記録を保存できる身長計である。
【背景技術】
【０００２】  従来の家庭用身長計は、目盛りの脇に筆記具等で記録できるスペースがある物や、写真を飾れる物等があったが、木造家屋に住む日本人の習慣を唄った童謡「背くらべ」に因んで、柱の代わりとなる身長計本体に筆記具や短い釘等で傷を付け、成長を記録していく身長計はなかった。
【考案の開示】
【考案が解決しようとする課題】
【０００３】  従来の家庭用身長計が、身長や体重等の身体の記録や家族の記録等としての身長計であったのに対し、童謡「背くらべ」に因んだ本身長計は、現在の和室の少ない住宅やコンクリート等の賃貸住宅等の住宅事情から見ると実現しにくい、家の柱に筆記具や短い釘等で傷を付け成長を記録していった日本の生活習慣の伝統を喚起させ、前述の欠点を解決するものである。
【課題を解決するための手段】
【０００４】  本考案は、筆記具や短い釘等で傷を付けることが可能な、木材又はプラスチック、合成樹脂等、適宜素材の表面を持つ、大人の身長の丈の細長い板材を本体とし、本体には垂直に下端から目盛りを設ける。本体は収納しやすい適宜長さに分割し、蝶番等で連結又は連結可能にする。備品として、本体に傷を付ける為の筆記具や短い釘等と、頭頂の位置から水平位置の本体に印を付ける為の直角を持つ多角形型の測定補助具を装備する。さらに、本体を収納する箱等には、童謡「背くらべ」の曲が流れる装置や、写真フレーム、小物入れを装着すれば尚可。よって、家の柱の代わりとなる本体に、筆記具や短い釘等で消すことのできない成長の記録を残すことができ、日本の伝統的な背くらべを住宅事情にかかわらず体験し、保存することができ、前述の欠点を解決するものである。
【考案の効果】
【０００５】  上述の様に、本考案の童謡に因んだ身長計は、童謡「背くらべ」に因んで、家の柱の代わりとなる本体に筆記具や短い釘等で傷を付けて身長を記録していくので、住宅事情にかかわらず、日本の伝統的な習慣である背くらべを家族で体験することができると共に、日本の木造家屋の生活伝統を再認識し、日本の懐かしい習慣に親しむことができる。又、個人の記録だけでなく、家族で使用すれば、家族の成長記録にもなり、子どもと家族の絆を深め、よりよい家族関係づくりに役立つ。本体をコンパクトに収納できる適宜な長さに分割してあるので、収納にも便利で、収納する為の箱等に童謡「背くらべ」の曲が流れる装置や、写真フレーム、小物入れを装着すれば、前述の日本の伝統の再認識やよりよい家族関係づくりに一層貢献することができる。さらに、本体等を木材を中心として形成すれば、童謡「背くらべ」をより忠実に再現でき、さらに自然の素材である木とふれあうことができ、木材の有効活用にも役立つ。
【考案を実施するための最良の形態】
【０００６】  筆記具や短い釘等で傷を付けることが可能な、木材又はプラスチック、合成樹脂等、適宜素材の表面を持つ、大人の身長の丈の細長い板材を本体１とする。本体１は、コンパクトに収納できる適宜な長さに分割し、蝶番３等で連結又は連結可能にする。さらに本体１には、合成樹脂や金属等伸縮の少ない適宜素材で作った目盛り５を下端から垂直に装着する。又は、直接記述して設ける。備品として、傷を付ける為の筆記具や短い釘等６と頭頂の位置から水平位置の本体に印を付ける為の直角を持つ多角形型の測定補助具７を装備する。
【実施例】
【０００７】  以下本考案を限定することを目的としない、本考案の実施例を、添付図面１、２、３に従って説明する。本実施例は、童謡「背くらべ」のメロディが流れるメロディ装置と小物入れを装備した収納箱に収納できる場合である。まず、本体１を木材等適宜素材で大人の身長の丈の細長い板材に形成する。１の支持体は木材、金属、布等適宜素材で形成が可能であるが、表面部分は、筆記具や短い釘等で傷が付けられる木材又はプラスチック、合成樹脂等適宜素材で形成する。１は、収納しやすい適宜な長さに分割し、蝶番３や金具等で連結又は連結可能にする。さらに１の表面には、下端から垂直に、合成樹脂や金属等伸縮の少ない適宜素材で作った目盛り５を装着する。又は、直接記述して設ける。備品として、傷を付ける為の筆記具や短い釘等６と頭頂の位置から水平位置の本体に印を付ける為の直角を持つ多角形型の測定補助具７を装備する。【０００８】  次に、本体を収納できる箱８を、木材又はプラスチック、合成樹脂等適宜素材で形成する。８は、本体１を内包できる適宜な大きさの直方体等適宜形状で、筆記具や短い釘等６や測定補助具７や童謡「背くらべ」のメロディが流れるオルゴール等適宜メロディ装置１１や思い出の品等を収納できる小物入れ１５を装備する。１５は、８の内外の適宜な場所に設ける。さらに８には、子どもや家族の写真を飾ることのできる写真フレーム１６等を設ければ尚可。８の上部等適宜な場所に蓋１７を設けることもできる。【０００９】  本考案の一実施例は上述の如き構成からなるものであるから、日本の伝統に親しむことのでき、家族の絆を深めることのできる、童謡に因んだ身長計を可能にした。
【図面の簡単な説明】
【００１０】
【図１】童謡に因んだ身長計の実施例の使用例の斜視図
【図２】童謡に因んだ身長計の実施例の折り畳んだ状態の側面図
【図３】童謡に因んだ身長計の実施例の収納した時の斜視図
【符号の説明】
【００１１】１  身長計本体
３  蝶番
５  目盛り
６  筆記具や短い釘等
７  測定補助具
８  箱等
１１  メロディ装置
１５  小物入れ
１６  写真フレーム
１７  蓋
【図１】
0003114030.tif 000003
【図２】
0003114030.tif 000004
【図３】
0003114030.tif 000005